(57)【要約】【解決手段】電線（１３４）を受容するリセプタクル（１２０）を有するハウジングを具備する電気コネクタ（１１０）が提供される。固定コンタクト（１１４）はハウジング内に配置され、信号経路に電気結合するよう構成された接続端子を有する。固定コンタクト（１１４）には可動コンタクト（１２８）が電気結合される。可動コンタクト（１２８）は、電線（１３４）に係合する接触インタフェース（１５８）を有する。接触インタフェース（１５８）は、電線（１３４）と係合する接続位置と、接触インタフェース（１５８）が電線（１３４）から係合解除されて電線（１３４）がリセプタクル（１２０）から取り外し可能となる開放位置との間を移動可能である。
2014524132.tif 000002
【特許請求の範囲】
【請求項１】
電線を受容するリセプタクルを有するハウジングと、
前記ハウジング内に配置され、信号経路に電気結合するよう構成された接続端子を有する固定コンタクトと、
前記固定コンタクトに電気結合するよう構成され、前記電線と係合する接触インタフェースを有する可動コンタクトと
を具備し、
前記接触インタフェースは、前記電線と係合する接続位置と、前記接触インタフェースが前記電線から係合解除されて前記電線が前記リセプタクルから取り外し可能となる開放位置との間を移動可能であることを特徴とする電気コネクタ。
【請求項２】
前記可動コンタクトと係合して前記接続位置及び前記開放位置間に前記可動コンタクトの前記接触インタフェースを移動させるアクチュエータをさらに具備することを特徴とする請求項１記載の電気コネクタ。
【請求項３】
前記可動コンタクトはばね付勢されたコンタクトであることを特徴とする請求項１記載の電気コネクタ。
【請求項４】
前記可動コンタクトは、旋回点の周りに回転可能であり、前記接続位置及び前記開放位置間に前記接触インタフェースを移動させることを特徴とする請求項１記載の電気コネクタ。
【請求項５】
前記接触インタフェースは１対のタブを具備し、
前記接触インタフェースが前記接続位置にあると、前記電線は前記タブの間に固定されることを特徴とする請求項１記載の電気コネクタ。
【請求項６】
前記可動コンタクトはばねコンタクトであることを特徴とする請求項１記載の電気コネクタ。
【請求項７】
前記可動コンタクトは前記接続位置へ付勢されていることを特徴とする請求項１記載の電気コネクタ。
【請求項８】
前記固定コンタクトは、前記電線が貫通して該電線を受容する開口を具備し、
前記開口は、異なる径の電線を受容する寸法に設定されていることを特徴とする請求項１記載の電気コネクタ。
【請求項９】
前記固定コンタクトは、前記電線が貫通して該電線を受容する開口を具備し、
前記開口は、前記ハウジングの前記リセプタクルと整列することを特徴とする請求項１記載の電気コネクタ。
【請求項１０】
前記固定コンタクトの前記接続端子は、信号経路を有する基板に表面実装又はスルーホール実装され、前記信号経路との電気接続部を形成することを特徴とする請求項１記載の電気コネクタ。
【請求項１１】
前記接触インタフェースは、前記接続位置で前記電線を圧迫することを特徴とする請求項１記載の電気コネクタ。
【発明の詳細な説明】
【技術分野】
【０００１】
基板組立体は、例えば信号トレースや電線である信号経路を通って電気結合される電気部品を有する基板を一般的に具備する。基板組立体は、その一部である電気部品や他の基板組立体からの電線に電気結合されることを要求されることが多い。基板は、他の基板組立体や電気部品からの電線を受容するよう基板上に配置された電気コネクタを有することがある。電気コネクタは、基板の信号経路及び電気コネクタを電気接続するよう、基板に表面実装又はスルーホール実装されたコンタクトを有する。コンタクトの嵌合端は、他の基板組立体や電気部品の電線と係合するよう構成される。コンタクトの嵌合端は、他の基板組立体や電気部品と、基板の信号経路との間に電気接続部を設けるよう、電線と係合する。電気接続部は、他の基板組立体や電気部品と、基板組立体との間に、電力やデータ信号を伝送することを可能にする。
【背景技術】
【０００２】
基板組立体の中には、ポークイン型電線コンタクトを有するコネクタを用いるものがある。このコネクタは、電線を受容するリセプタクルを有するハウジングを具備する。接触インタフェースはリセプタクル内に延びる。電線がリセプタクル内に配置されると、電線は接触インタフェースと係合する。一般的に、挿入とは逆向きの力が電線に印加されると接触インタフェースが電線と係合するように、接触インタフェースは傾斜する。従って、接触インタフェースは、電線がリセプタクルから抜去されることを防止する。
【発明の開示】
【発明が解決しようとする課題】
【０００３】
しかし、従来のポークイン型電線コンタクトは不便な点がない訳ではない。特に、接触インタフェースが電線と係合するので、電線や、電線又はコンタクトに交換されることが要求されるコンタクトに対して重大な損傷を生じさせないで電線をリセプタクルから取り外すことができない。しかし、製品の試験や修理を容易にするために、電線はリセプタクルから取り外すことが要求される。
【０００４】
本発明が解決しようとする課題は、接触インタフェースが電線から係合解除できるポークイン型電線コンタクトに対するニーズである。電線を損傷させることなく、複数回にわたり電線をリセプタクルに挿入しリセプタクルから取り外すことができるポークイン型電線コンタクトに対する別のニーズもある。
【課題を解決するための手段】
【０００５】
課題を解決するための手段は、電線を受容するリセプタクルを有するハウジングを具備する電気コネクタにより提供される。固定コンタクトはハウジング内に配置され、信号経路に電気結合するよう構成された接続端子を有する。固定コンタクトには可動コンタクトが電気結合される。可動コンタクトは、電線と係合する接触インタフェースを有する。接触インタフェースは、電線と係合する接続位置と、接触インタフェースが電線から係合解除されて電線がリセプタクルから取り外し可能となる開放位置との間を移動可能である。
【図面の簡単な説明】
【０００６】
【図１】本発明の一実施形態に従って形成された基板組立体を上から見た斜視図である。
【図２】本発明の一実施形態に従って形成され、図１に示された電気コネクタに使用されるコンタクト組立体を上から見た斜視図である。
【図３】可動コンタクトが接続位置にある、図１に示された電気コネクタの側断面図である。
【図４】可動コンタクトが開放位置にある、図１に示された電気コネクタの側断面図である。
【図５】本発明の別の実施形態に従って形成された電気コネクタを上から見た斜視図である。
【図６】本発明の一実施形態に従って形成され、図５に示された電気コネクタに使用されるコンタクトを上から見た斜視図である。
【図７】図５に示された電気コネクタを下から見た斜視図である。
【図８】可動コンタクトが接続位置にある、図５に示された電気コネクタを上から見た部分断面斜視図である。
【図９】可動コンタクトが開放位置にある、図５に示された電気コネクタを上から見た部分断面斜視図である。
【図１０】本発明の別の実施形態に従って形成された電気コネクタを上から見た斜視図である。
【図１１】可動コンタクトが開放位置にある、図１０に示された電気コネクタの側断面図である。
【図１２】可動コンタクトが接続位置にある、図１０に示された電気コネクタの側断面図である。
【発明を実施するための形態】
【０００７】
以下、添付図面を参照して、例示により本発明を説明する。
【０００８】
本発明の一実施形態において、電線を受容するリセプタクルを有するハウジングを具備する電気コネクタが提供される。固定コンタクトはハウジング内に配置され、信号経路に電気結合するよう構成された接続端子を有する。固定コンタクトには可動コンタクトが電気結合される。可動コンタクトは、電線と係合する接触インタフェースを有する。接触インタフェースは、電線と係合する接続位置と、接触インタフェースが電線から係合解除されて電線がリセプタクルから取り外し可能となる開放位置との間を移動可能である。
【０００９】
本発明の別の実施形態において、信号経路が貫通する基板を具備する基板組立体が提供される。基板上にはコネクタが配置される。コネクタは、電線を受容するリセプタクルを有するハウジングを具備する。固定コンタクトはハウジング内に配置され、基板に少なくとも表面実装又はスルーホール実装される接続端子を有する。固定コンタクトは信号経路に電気結合される。固定コンタクトには可動コンタクトが電気結合される。可動コンタクトは、電線と係合する接触インタフェースを有する。接触インタフェースは、電線と係合する接続位置と、接触インタフェースが電線から係合解除されて電線がリセプタクルから取り外し可能となる開放位置との間を移動可能である。
【００１０】
様々な実施形態が、電線やコネクタのコンタクトに重大な損傷を生じさせることなく、電線を取り外すことができるコネクタを提供する。このコネクタは、電線が損傷することなく取り外すことができるように電線を係合解除する可動コンタクトを具備する。様々な実施形態が、電線やコネクタのコンタクトの交換又修理を要することなく、電線を取り外すことができるコネクタを提供する。様々な実施形態が、コネクタの試験や修理を可能にするために、電線を複数回にわたり挿入及び取り外しできるコネクタを提供する。
【００１１】
本明細書に記載された典型的な実施形態は、ハウジングを有する電気コネクタを具備する。ハウジング内には、電線を受容するリセプタクルが形成される。ハウジング内に固定コンタクトが配置される。固定コンタクトは、ハウジングのリセプタクルに整列する開口を具備する。開口は、その開口を貫通して電線を受容する。一実施形態において、開口は、異なる径のワイヤを受容する寸法に設定される。固定コンタクトは、信号経路に電気結合するよう構成された接続端子を具備する。例えば、固定コンタクトの接続端子は、基板を貫通する信号経路を有する基板に表面実装又はスルーホール実装され、信号経路との電気接続部を形成する。
【００１２】
典型的な実施形態において、可動コンタクトは、固定コンタクトに電気結合されるよう構成される。可動コンタクトは、電線と係合する接触インタフェースを有する。接触インタフェースは、接続位置と開放位置との間を移動可能である。接続位置では、接触インタフェースは電線と係合する。一実施形態において、接触インタフェースは１対のタブを具備する。接触インタフェースが接続位置にあると、電線はタブの間に固定される。別の実施形態において、接触インタフェースは、接続位置では電線を圧迫する。開放位置では、接触インタフェースは電線との係合が解除され、電線をリセプタクルから取り外すことができる。一実施形態において、アクチュエータが可動コンタクトと係合し、接触インタフェースを接続位置及び開放位置間で移動させる。可動コンタクトは、ばね付勢されたコンタクトであってもよい。任意であるが、可動コンタクトはばねコンタクトである。或いは、可動コンタクトは、接触インタフェースを接続位置及び開放位置間で移動させるよう、旋回点の周りを旋回可能であってもよい。一実施形態において、可動コンタクトは、接続位置の方へ付勢されてもよい。
【００１３】
図１は、本発明の一実施形態に従って形成された基板組立体１００を上から見た斜視図である。基板組立体１００は、基板表面１０４を有する基板１０２を具備する。基板１０２は、例えば印刷回路基板である回路基板である。基板１０２は、電子デバイスの一部であってもよい。一実施形態において、基板１０２は、親基板、子基板、バックプレーン回路基板、ミッドプレーン回路基板等であってもよい。基板１０２は、基板表面１０４に例えば表面実装又はスルーホール実装で結合された複数の電気部品を有するよう構成される。基板１０２は、その基板１０２を貫通する信号経路１０６を具備する。信号経路１０６は、信号トレース、電線、又は他の適当な電気信号経路であってもよい。信号経路１０６は、基板１０２に結合された様々な部品間に電力はデータ信号を伝送するよう構成されてもよい。信号経路１０６は、基板１０２内に埋設されてもよいし、基板表面１０４に沿って延びてもよい。基板表面１０４には信号バイア１０８が設けられる。信号バイア１０８は、電気部品のコンタクトに電気結合されるよう構成され、電気部品及び信号経路間に電気接続部を形成する。或いは、基板１０２は、電気部品のコンタクトがスルーホール実装されて電気部品及び信号経路間に電気接続部を形成するバイアを具備してもよい。
【００１４】
本明細書には様々な実施形態が基板に実装されるものとして記載されているが、様々な実施形態は、信号経路がケーブルを貫通するケーブルコネクタに用いられてもよいことに留意すべきである。
【００１５】
基板１０２には電気コネクタ１１０が設けられる。電気コネクタ１１０は基板表面１０４上に配置される。電気コネクタ１１０は、１対のコンタクト組立体１１４（図２参照）を取り囲むハウジング１１２を具備する。一実施形態において、ハウジング１１２は、任意の数のコンタクト組立体１１４を取り囲んでもよい。各コンタクト組立体１１４は、スルーホール実装テール部１１８（図２参照）を有する固定コンタクト１１６（図２参照）を具備する。各コンタクト組立体１１４のスルーホール実装テール部１１８は、ハウジング１１２から延びて図１に示される。スルーホール実装テール部１１８は信号バイア１０８を貫通してスルーホール実装され、電気コネクタ１１０及び基板１０２間に電気接続部を形成する。或いは、スルーホール実装テール部１１８は、基板１０２の信号パッドに表面実装された表面実装テール部として構成されて電気コネクタ１１０及び基板１０２間に電気接続部を形成してもよい。
【００１６】
リセプタクル１２０は、ハウジング１１２の前面１２２に形成される。各リセプタクル１２０は、ハウジング１１２内でコンタクト組立体１１４と整列する。従って、ハウジング１１２に形成されたリセプタクル１２０の数は、ハウジング１１２内に配置されたコンタクト組立体１１４の数と同じである。リセプタクル１２０は、リセプタクル１２０を貫通する電線１３４（図３及び図４参照）を受容するよう構成される。例えば、電線１３４は、別の電子デバイスや電気部品の一部であってもよい。リセプタクル１２０は、電線１３４を受容して電線１３４及び電気コネクタ１１０間に電気接続部を形成する。このように、電気接続部は、電線１３４及び信号経路１０６間に形成される。
【００１７】
ハウジング１１２の上面１２６には開口１２３が位置する。各コンタクト組立体１１４の可動コンタクト１２８（図２参照）に形成されたアクチュエータ１２４は、開口１２３を通ってアクセスすることができる。ハウジング１１２に配置されたアクチュエータ１２４の数は、ハウジング１１２内に配置されたコンタクト組立体１１４の数と同じである。従って、ハウジング１１２に形成された開口１２３の数は、ハウジング１１２内に配置されたコンタクト組立体１１４の数と同じである。アクチュエータ１２４に力を印加することにより、可動コンタクト１２８は接続位置１３０（図３参照）から開放位置１３２（図４参照）まで移動する。開放位置１３２において、電線１３４は、リセプタクル１２０及び電気コネクタ１１０から取り外すことができる。
【００１８】
図２は、本発明の一実施形態に従って形成されたコンタクト組立体１１４を上から見た斜視図である。上述したように、電気コネクタ１１０（図１参照）は、任意の数のコンタクト組立体１１４を具備してもよい。コンタクト組立体１１４は、ポークイン型電線コンタクトとして構成される。コンタクト組立体１１４は、固定コンタクト１１６及び可動コンタクト１２８を具備する。固定コンタクト１１６は、開口１４２が貫通するバレル部１４０を具備する。開口１４２は、コンタクト組立体１１４がハウジング１１２（図１参照）に配置されるとハウジング１１２のリセプタクル１２０（図１参照）と整列する。電線１３４がハウジング１１２のリセプタクル１２０に挿入されると、開口１４２は電線１３４（図３及び図４参照）を受容する。スルーホール実装テール部１１８はバレル部１４０から延びる。
【００１９】
可動コンタクト１２８は、一体に形成された頂部１４４及び底部１４６を具備する。頂部１４４及び底部１４６は、中間部１４８により結合される。固定コンタクト１１６は、可動コンタクト１２８の頂部１４４及び底部１４６の間に配置される。可動コンタクト１２８の底部１４６は、可動コンタクト１２８が図３に示される接続位置１３０にあると、固定コンタクト１１６の底部１５０に当接して配置される。可動コンタクト１２８の頂部１４４は１対のばね１５２を具備する。これらのばね１５２は、固定コンタクト１１６の頂部１５４と係合する。ばね１５２は、可動コンタクト１２８を接続位置１３０へ付勢する。アクチュエータ１２４は、可動コンタクト１２８の頂部１４４に形成される。
【００２０】
図３は、図１に示された電気コネクタ１１０の側断面図である。図３は、ハウジング１１２（図１参照）内に配置されたコンタクト組立体１１４（図２参照）を示す。図３は、接続位置１３０にある可動コンタクト１２８を示す。電線１３４は、ハウジング１１２のリセプタクル１２０内に挿入される。電線１３４は、固定コンタクト１１６のバレル部１４０の開口１４２を通って延びる。
【００２１】
固定コンタクト１１６の底部１５０は、この底部１５０を貫通する開口１５６を具備する。可動コンタクト１２８の底部１４６は接触インタフェース１５８を具備する。接続位置１３０では、接触インタフェース１５８は固定コンタクト１１６の開口１５６を貫通する。接触インタフェース１５８は電線１３４と係合する。典型的な実施形態において、接触インタフェース１５８は電線１３４を圧迫する。接触インタフェース１５８は、可動コンタクト１２８及び電線１３４間に電気接続部を形成する。接触インタフェース１５８が電線１３４及びコンタクト組立体１１４間に電気接続部を形成するように、可動コンタクト１２８は固定コンタクト１１６に電気接続される。コネクタ１１０（図１参照）が基板１０２（図１参照）に結合すると、コンタクト組立体１１４はスルーホール実装テール部１１８を介して基板１０２との別の電気接続部を形成する。
【００２２】
図４は、可動コンタクト１２８が開放位置１３２にある電気コネクタ１１０の側断面図である。図４は、ハウジング１１２の開口１２３を通ってアクチュエータ１２４上の力１６０を受容する状態の可動コンタクト１２８を示す。可動コンタクト１２８が矢印１６２の向きに移動するように、可動コンタクト１２８のばね１５２は圧縮される。開放位置１３２では、接触インタフェース１５８は、最早固定コンタクト１１６の開口１５６を貫通していない。従って、電線１３４を固定コンタクト１１６の開口１４２及びコネクタ１１０から取り外すことができるように、接触インタフェース１５８は電線１３４から係合解除される。
【００２３】
図５は、本発明の別の実施形態に従って形成された別の電気コネクタ２００を上から見た斜視図である。電気コネクタ２００は、例えば図１に示される基板１０２である基板上に配置されるよう構成される。図示の実施形態において、電気コネクタ２００は基板１０２に表面実装されるよう構成される。或いは、電気コネクタ２００は基板２０１にスルーホール実装されるよう構成されてもよい。
【００２４】
電気コネクタ２００はハウジング２０２を具備する。ハウジング２０２は複数のコンタクト組立体２０４（図６参照）を取り囲む。複数のリセプタクル２０６は、ハウジング２０２の前部２０８に形成される。リセプタクル２０６は、ハウジング２０２内に配置されたコンタクト組立体２０４とそれぞれ整列する。リセプタクル２０６の数は、ハウジング２０２内に配置されたコンタクト組立体２０４の数と同じである。ハウジング２０２は、任意の数のコンタクト組立体２０４及び対応するリセプタクル２０６と構成可能である。各リセプタクル２０６は電線（図示せず）を受容するよう構成される。
【００２５】
アクチュエータ２１０は、ハウジング２０２の頂部２１２に配置される。アクチュエータ２１０は、ハウジング２０２の背面２１４に配置される。アクチュエータ２１０はコンタクト組立体２０４と係合して、接続位置２１８（図８参照）及び開放位置２２０（図９参照）間でコンタクト組立体２０４の可動コンタクト２１６（図６参照）を移動させるよう構成される。ハウジング２０２内に配置されたアクチュエータ２１０の数は、ハウジング２０２内に配置されたコンタクト組立体２０４の数と同じである。
【００２６】
図６は、本発明の一実施形態に従って形成されたコンタクト組立体２０４を上から見た斜視図である。コンタクト組立体２０４は、基部２２４を有する固定コンタクト２２２を具備する。固定コンタクト２２２は１対の可動コンタクト２１６と一体に形成され、コンタクト組立体２０４を形成する。基部２２４は、ハウジング２０２（図５参照）にコンタクト組立体２０４を加締め実装（stake mount）するために貫通する開口２２６を具備する。表面実装テール部２２８は、基部２２４の前部２３０及び後部２３２から延びる。表面実装テール部２２８は、基板１０２（図１参照）に表面実装されるよう構成される。任意であるが、表面実装テール部２２８は、基板１０２にスルーホール実装されるよう構成されてもよい。
【００２７】
各可動コンタクト２１６は、固定コンタクト２２２の基部２２４の各側面２３４から上方へ延びる。各可動コンタクト２１６は旋回部２３６を具備する。旋回部２３６は、固定コンタクト２２２の基部２２４に結合される。各可動コンタクト２１６の駆動端部２３８は、旋回部２３６から延びる。駆動端部２３８は、旋回部２３６から後方へ延びる。コンタクト組立体２０４がハウジング２０２内に配置されると、各可動コンタクト２１６の駆動端部２３８は、アクチュエータ２１０（図５参照）と係合するよう構成される。
【００２８】
接触端部２４０は、各可動コンタクト２１６の旋回部２３６から前方へ延びる。接触端部２４０は、駆動端部２３８とは逆向きに延びる。各接触端部２４０は、電線と係合するよう構成された接触インタフェース２４２を具備する。特に、電線は、コンタクト組立体２０４が接続位置２１８（図８参照）にあるときに、各可動コンタクト２４０の接触インタフェース２４２の間に固定される。各接触インタフェース２４２は、接続位置２１８において電線と係合する係合タブ２４４を具備する。一実施形態において、電線は、係合タブ２４４の間に固定すなわち挟まれる。或いは、係合タブ２４４は電線を圧迫してもよい。
【００２９】
図７は、電気コネクタ２００を下から見た斜視図である。図７は、電気コネクタ２００の底部２５０を示す。底部２５０は、底部２５０に沿って延びる開口２５２を具備する。各開口２５２は、ハウジング２０２のリセプタクル２０６と整列する。コンタクト組立体２０４は各開口２５２内に配置される。コンタクト組立体２０４は、固定コンタクト２２２の開口２２６（図６参照）を通って受容される加締め部２５４でハウジング２０２に固定される。コンタクト組立体２０４は、リセプタクル２０６と整列するようにハウジング２０２内に配置される。各固定コンタクト２２２の表面実装テール部２２８は、ハウジング２０２の底部２５０とほぼ面一に配置される。ハウジング２０２が基板１０２に配置されると、表面実装テール部２２８は基板１０２の信号パッドと接触した状態で配置される。別の実施形態において、表面実装テール部２２８は、ハウジング２０２の底部２５０から延びる。このような実施形態において、表面実装テール部２２８は基板１０２にスルーホール実装される。
【００３０】
図８は、電気コネクタ２００を上から見た部分断面斜視図である。コンタクト組立体２０４はハウジング２０２内に配置される。図８は、接続位置２１８での各コンタクト組立体２０４の可動コンタクト２１６を示す。接続位置２１８において、可動コンタクト２１６の接触インタフェース２４２は互いに係合する。従って、電線は、リセプタクル２０６に挿入されると、接触インタフェース２４２を押圧して離間させ、接触インタフェース２４２間を摺動する。接触インタフェース２４２は、接続位置２１８へ付勢されて接触インタフェース２４２間に電線を固定する。可動コンタクト２１６の係合タブ２４４は、その間に電線を固定すなわち挟む。
【００３１】
ハウジング２０２の後部２１４に、駆動楔部２６０が配置される。各駆動楔部２６０は、図５に示されるアクチュエータ２１０と接触状態にある。また、各駆動楔部２６０は、可動コンタクト２１６の駆動端部２３８と接触状態にある。アクチュエータ２１０は、駆動楔部２６０を介して可動コンタクト２１６と係合する。アクチュエータ２１０に力が印加されると、アクチュエータ２１０は、矢印２６２の向きに駆動楔部２６０を移動させる。駆動楔部２６０は、可動コンタクト２１６の駆動端部２３８と係合する１対の傾斜フランジ２６４を具備する。駆動楔部２６０が矢印２６２の向きに移動すると、傾斜フランジ２６４は、可動コンタクト２１６の駆動端部２３８を互いに向かって移動させる。
【００３２】
可動コンタクト２１６の旋回部２３６は、ハウジング２０２の旋回点２６６と接触状態にある。可動コンタクト２１６は、旋回点２６６の周りに回転するよう構成される。可動コンタクト２１６の駆動端部２３８が駆動楔部２６０によって互いに向かって強制されると、可動コンタクト２１６は旋回点２６６の周りに回転し、可動コンタクト２１６の接触インタフェース２４２を分離する。従って、可動コンタクト２１６は、アクチュエータ２１０に力を印加することにより、接続位置２１８から開放位置２２０（図９参照）まで移動される。
【００３３】
図９は、可動コンタクト２１６が開放位置２２０にある電気コネクタ２００を上から見た部分断面斜視図である。駆動楔部２６０は矢印２６２の向きに沿って移動し、可動コンタクト２１６の駆動端部２３８を互いに向かって移動済みである。可動コンタクト２１６は、旋回点２６６の周りに回転し、可動コンタクト２１６の接触インタフェース２４２を分離済みである。従って、開放位置２２０において、電線は、接触インタフェース２４２間から取り除くことができる。
【００３４】
図１０は、本発明の一実施形態に従って形成された別の電気コネクタ３００を上から見た斜視図である。電気コネクタ３００は、前端３０４及び後端３０６を有するハウジング３０２を具備する。ハウジング３０２は、コンタクト組立体３０８（図１１及び図１２に全体が図示）を保持するよう構成される。ハウジング３０２の前端３０４は、コンタクト組立体３０８と各々が整列するリセプタクル３１０を具備する。図示の実施形態は、２個のコンタクト組立体３０８に対応する２個のリセプタクル３１０を具備する。任意であるが、ハウジング３０２は、任意の数のリセプタクル３１０及び対応するコンタクト組立体３０８を具備してもよい。
【００３５】
各コンタクト組立体３０８は、例えば基板１０２（図１参照）である基板に表面実装されるよう構成された接続端子３１２を具備する。或いは、接続端子３１２は、基板１０２にスルーホール実装されてもよい。また、各コンタクト組立体３０８は、ハウジング３０２の頂部３１８の開口３１６を通ってアクセス可能なアクチュエータ３１４を具備する。アクチュエータ３１４は、力３２０（図１１参照）を受けて接続位置３２４（図１２参照）から開放位置３２６（図１１参照）までコンタクト組立体３０８の可動コンタクト３２２（図１１及び図１２参照）を移動させるよう構成される。
【００３６】
図１１は、可動コンタクト３２２が開放位置３２６にある電気コネクタ３００の側断面図である。コンタクト組立体３０８は、可動コンタクト３２２及び固定コンタクト３３０を具備する。固定コンタクト３３０は、ハウジング３０２の前端３０４に配置される。固定コンタクト３３０は、リセプタクル３１０と整列する開口３３２を具備する。開口３３２は、リセプタクル３１０に挿入される電線３３３を受容するよう構成される。接続端子３１２は固定コンタクト３３０から延びる。
【００３７】
可動コンタクト３２２はばねコンタクトとして形成される。可動コンタクト３２２は、基板１０２に実装された接続端子３３４を具備する。可動コンタクト３２２は接触インタフェース３３６を具備する。接触インタフェース３３６は、電線３３３を受容する開口３３８を具備する。接触インタフェース３３６はアクチュエータ３１４を具備する。図示の実施形態において、アクチュエータ３１４に力３２０が印加され、可動コンタクト３２２の接触インタフェース３３６を矢印３４０の向きに開放位置３２６へ移動させる。接触インタフェース３３６の開口３３８は、固定コンタクト３３０の開口３３２及びリセプタクル３１０と整列する。従って、コネクタ３００が電線３３３を受容するよう構成され、電線３３３がコネクタ３００から取外し可能である。
【００３８】
図１２は、可動コンタクト３２２が接続位置３２４にある電気コネクタ３００の側断面図である。接続位置３２４では、電線３３３はコネクタ３００内に挿入済みである。力３２０（図１１参照）は、アクチュエータ３１４から除去されている。力３２０が除去されると、可動コンタクト３２２は接続位置３２４へ付勢される。力３２０が除去されると、接触インタフェース３３６は矢印３４２の向きに移動する。接触インタフェース３３６は、固定コンタクト３３０と接触した状態で電線３３３を上方に押圧する、電線３３３上の力を生成する。固定コンタクト３３０の開口３３２により区画された上面３４４は、電線３３３と係合する。同様に、接触インタフェース３３６の開口３３８により区画された下面３４６は、電線３３３と係合する。一実施形態において、上面３４４及び下面３４６は電線３３３を圧迫する。電線３３３は、接続位置３２４で固定コンタクト３３０及び可動コンタクト３２２の双方との間に電気接続部を形成する。このように、固定コンタクト３３０及び可動コンタクト３２２は、電線３３３により電気結合される。
【００３９】
コネクタ３００から電線３３３を開放するためには、電線３３３が取外し可能な開放位置３２６に可動コンタクト３２２が戻るようにアクチュエータ３１４に力３２０が印加される。
【符号の説明】
【００４０】
１０２  基板
１０６  信号経路
１１０  電気コネクタ
１１２  ハウジング
１１６  固定コンタクト
１１８  スルーホール実装テール部（接続端子）
１２０  リセプタクル
１２４  アクチュエータ
１２８  可動コンタクト
１３０  接続位置
１３２  開放位置
１３４  電線
１４２  開口
１５８  接触インタフェース
２００  電気コネクタ
２０２  ハウジング
２０６  リセプタクル
２１０  アクチュエータ
２１６  可動コンタクト
２２２  固定コンタクト
２２８  表面実装テール部（接続端子）
２４２  接触インターフェース
２４４  係合タブ（タブ）
２６６  旋回点
３００  電気コネクタ
３０２  ハウジング
３１０  リセプタクル
３１２  接続端子
３１４  アクチュエータ
３２２  可動コンタクト
３３０  固定コンタクト
３３６  接触インターフェース
【図１】
2014524132.tif 000003
【図２】
2014524132.tif 000004
【図３】
2014524132.tif 000005
【図４】
2014524132.tif 000006
【図５】
2014524132.tif 000007
【図６】
2014524132.tif 000008
【図７】
2014524132.tif 000009
【図８】
2014524132.tif 000010
【図９】
2014524132.tif 000011
【図１０】
2014524132.tif 000012
【図１１】
2014524132.tif 000013
【図１２】
2014524132.tif 000014
【国際調査報告】
2014524132.tif 000015
2014524132.tif 000016